(57)【特許請求の範囲】
【請求項１】
２次的情報信号をラン長が制限されたコードシーケンスに付加するための方法であって、前記ラン長が制限されたコードシーケンスは、第１の位置における第１のラン長と第２の位置における第２のラン長とを有しており、ラン長が制限された符号化における自由度が、前記第１の位置と前記第２の位置との間にあると共に前記第１の位置に隣接していない、方法において、
ａ）前記第１のラン長の極性を検出するステップと、
ｂ）検出された前記第１のラン長の極性に基づいて、前記第２のラン長の既定の極性を得るように、前記自由度を使用するステップであって、前記既定の極性は、前記２次的情報信号のバイナリ値に対応している、ステップと、
を有する方法。
【請求項２】
前記２次的情報信号が記録媒体のコピー防止のための隠れたチャネル情報である、請求項１に記載の方法。
【請求項３】
前記第１の位置がフレーム同期ワードの既定のラン長に対応し、サブコードブロックの第１フレーム内の前記フレーム同期ワードに続いて、前記第２の位置がＣＤのサブコードブロックのＳ０同期パターンの既定のラン長に対応する、請求項１に記載の方法。
【請求項４】
設定されているマージングビットパターンのＤＣ制御機能をスイッチオフするステップを更に有する、請求項１に記載の方法。
【請求項５】
ラン長が制限されたコードシーケンスから２次的情報信号を取り出すための方法であって、前記２次的情報信号は、前記ラン長が制限されたコードシーケンスの既定の位置におけるラン長の極性として前記ラン長が制限されたコードシーケンス内に組み込まれており、前記極性は、前記既定の位置に先行する他の既定の位置における前記ラン長が制限されたコードシーケンスの極性に基づいた前記ラン長が制限されたコードシーケンス内の自由度に依存しており、前記自由度は、前記既定の位置と前記他の既定の位置との間にあると共に、前記他の既定の位置に隣接していない、方法において、
ａ）ラン長が制限されたコードシーケンスの前記既定の位置におけるラン長を取り出すステップと、
ｂ）前記取り出されたラン長の極性を検出するステップであって、検出される前記極性が前記２次的情報信号のバイナリ値に対応する、ステップと、
を有する方法。
【請求項６】
２次的情報信号をラン長が制限されたコードシーケンスに付加するための装置であって、前記ラン長が制限されたコードシーケンスは、第１の位置における第１のラン長と第２の位置におけるラン長とを有しており、ラン長が制限された符号化における自由度が、前記第１の位置と前記第２の位置との間にあると共に前記第１の位置に隣接していない、装置において、
ａ）前記第１のラン長の極性を検出する検出手段と、
ｂ）検出された前記第１のラン長の極性に基づいて、前記第２のラン長の既定の極性を得るように、前記自由度を使用する設定手段であって、前記既定の極性は、前記２次的情報信号のバイナリ値に対応している、設定手段と、
を有する装置。
【請求項７】
ラン長が制限されたコードシーケンスから２次的情報信号を取り出すための装置であって、前記２次的情報信号は、前記ラン長が制限されたコードシーケンスの既定の位置におけるラン長の極性として前記ラン長が制限されたコードシーケンス内に組み込まれており、前記極性は、前記既定の位置に先行する他の既定の位置における前記ラン長が制限されたコードシーケンスの極性に基づいた前記ラン長が制限されたコードシーケンス内の自由度に依存しており、前記自由度は、前記既定の位置と前記他の既定の位置との間にあると共に、前記他の既定の位置に隣接していない、装置において、
ａ）ラン長が制限されたコードシーケンスの前記既定の位置におけるラン長を取り出す抽出手段と、
ｂ）前記取り出されたラン長の極性を検出する検出手段であって、検出される前記極性が前記２次的情報信号のバイナリ値に対応する、検出手段と、
を有する装置。
【請求項８】
ラン長が制限されたコードシーケンスの既定の位置でのラン長の極性として２次的情報信号が組み込まれている前記ラン長が制限されたコードシーケンスが記録されている記録媒体であって、前記極性は、前記既定の位置に先行する他の既定の位置における前記ラン長が制限されたコードシーケンスの極性に基づいた前記ラン長が制限されたコードシーケンス内の自由度に依存しており、前記自由度は、前記既定の位置と前記他の既定の位置との間にあると共に、前記他の既定の位置に隣接していない、記録媒体。
【請求項９】
前記記録媒体が光学記録媒体である、請求項８に記載の記録媒体。
【発明の詳細な説明】
【０００１】
【発明の属する技術分野】
本発明は、コピー防止のための隠れたチャネルの情報のような２次的情報信号を、記録媒体上に記録されるラン長が制限された（ＲＬＬ）コードシーケンスへ付加するか、又は当該２次的情報信号を当該ＲＬＬコードシーケンスから取り出すための方法及び装置に関する。さらに、本発明は、ＲＬＬコードシーケンスを記憶するための記録媒体及びバイナリ信号に関する。
【０００２】
【従来の技術】
本発明は、通常のＲＬＬコードを持つ記録媒体に適用できる。ＲＬＬコードは、（チャネルビットストリーム内の）コードシーケンスで起こる最小長及び最大長をそれぞれ規定する２つのパラメータ（ｄ＋１）及び（ｋ＋１）により特徴づけられる。例えば、ＤＶＤフォーマットでは、ＥＦＭＰｌｕｓと呼ばれる（ｄ＝２，ｋ＝１０）ＲＬＬコードを使用する。
【０００３】
付加的には、マージングビットが、ＲＬＬコードシーケンスの低周波数成分を最小にするための遷移を挿入するために用いられる。このようにして、ＤＣ制御機能が達成できる。ＣＤの技術では、８−１４変調（ＥＦＭ）コードの使用は、（２，１０）束縛条件を満足するラン長が制限された波形を導く。これらの波形はフレーズに分けられ、各フレーズはＣＤの表面上のランド又はピットに対応する。８個のデータビットの各シンボルは、１４個のチャネルビット上にマッピングされる。１４個のチャネルビットの各ブロックに、３個のエクストラのビットがＥＦＭチャネルワードをマージし低周波数に抑えるために付加される。この情報は、遷移の位置に含まれる。（２，１０）束縛条件のため、ＥＦＭコードは、最小ラン長が３チャネルビットであり最大ラン長が１１チャネルビットのようにして生成される。これら３個のエクストラのマージビットがいかなる情報も含まず、エクストラの遷移は最小又は最大ラン長の変動を防止するために挿入される（又は挿入されない）。
【０００４】
ヨーロッパ特許出願番号９９２００８７３．０（出願人整理番号ＰＨＮ０１７３６９）「Decoding a Limited Multi-Level Channel」に記述される制限されたマルチレベル変調（ＬＭＬ変調）は、２次的チャネルをメインのＣＤチャネルに組み込むことを提案している。ＬＭＬ変調コードの一般的なアイデアは、ＲＬＬコードシーケンスのより長いラン長のレベルの精細な分離を利用することである。例えば、５から１１までのチャネルビットのラン長は、当該ラン長の中程に小さな入り込みを持っても良い。この入り込みの有無は、これらの長いラン長に蓄えられているエクストラのビットの値に対応する。この入り込みの存在は、ＥＦＭ変調コードのクラス検出を妨げない。
【０００５】
【発明が解決しようとする課題】
ＬＭＬの欠点は、ピット（及びランド）に対するこの小さな入り込みが、ディスクの検査のために使用される適当な解析器具（電子走査顕微鏡（ＳＥＭ）、原子顕微鏡（ＡＦＭ）走査等）で物理的に観察できることである。このことは、適当な検査で、２次的情報信号が書き込まれる領域が直接的に観察できることを意味する。
【０００６】
【課題を解決するための手段】
本発明の目的は、既定量の情報がＲＬＬチャネルビットストリームの所与の物理的長さに収容され、これにより２次的情報信号のＲＬＬチャネルビットストリームへの実際の付加の事実が物理的検査により観察できず、前記情報が（ｄｋ）表記におけるチャネルビットストリームに基づいてＲＬＬコードの標準復調ステップにおいても検出できないように、２次的情報信号をメインＲＬＬチャネルへ付加するためのシンプルな２次的チャネルを提供することである。この第１の観点は、情報が物理的に目に見えない又は隠れている、すなわちディスク上での位置を特定できないことを意味する。第２の観点は、情報がＲＬＬチャネルビットストリームを復号するための標準復号装置において標準復調ステップに対して隠れていることを意味する。
【０００７】
この目的は、請求項１に記載のような２次的情報信号をラン長が制限されたコードシーケンスに付加する方法を提供し、請求項２に記載のようなラン長が制限されたコードシーケンスから２次的情報信号を取り出すための方法を提供することにより達成される。更に、上記目的は、請求項１１に記載のように２次的情報信号をラン長が制限されたコードシーケンスに付加する装置、請求項１２に記載のようにラン長が制限されたコードシーケンスから２次的情報信号を取り出すための装置、請求項１３に記載の記録媒体及び請求項１５に記載のバイナリ信号により達成される。
【０００８】
このように、２次的又は隠れたチャネルのための物理的キャリアは、ＲＬＬチャネルビットストリーム内の所与のラン長の極性である。ラン長の極性は、例えばマーク（すなわちピット）に対して“１”、マークなし（すなわちランド）に対して“０”のようなバイナリパラメータである。このように、極性情報は、検出プロセス時及びサンプリングされたＲＬＬビットストリームの段階まででのみ利用可能である。この段階後、復調前処理のために使用される逆１Ｔプリコーダは、極性情報を消滅させる。逆１Ｔプリコーダは、ピットからランド又はその逆の遷移のときに１のビット及びその間に０のビットを生成するので、所与のラン長（ピット又はランド）のタイプについてのどの情報も取り除かれる。このことは、２次的又は隠れたチャネルがＥＦＭ復調段階の入力部で要求されるいわゆる（ｄｋ）チャネルビットストリームの段階で消されることを意味する。このように、ほとんどキャパシティを持たないサイドチャネルが生成され、これはＥＦＭ又は（ｄｋ）ビットストリームより物理的チャネルにより近く位置する。このサイドチャネルがコピー防止のため隠れたチャネルとして使用されるならば、ハッカーはＥＦＭビットストリーム以上のものから情報を得るためにより大きな困難に直面するだろう。２次的又は隠れたチャネルがディスク信号の未使用の特性に深く隠れてしまい、ＣＤプレーヤから隠れた情報を取り出したり、又はＣＤレコーダに不正してそれを挿入するためには信号処理時に特別な専門性が必要となる。
【０００９】
好適には、２次的情報を取り出すための抽出ステップは、前記ラン長が制限されたコードシーケンスの検出されたビットストリームを使用することにより実施される。ラン長が制限されたコードシーケンスの検出されたビットストリームは逆１Ｔプリコーダの前に設けられるという事実から、２次的又は隠れたチャネルの読み出しは、ＲＬＬシーケンスが利用可能なときだけ可能となる。しかしながら、このＲＬＬビットストリームが従来のデコードＩＣの出力部に現れないので、完全なデコーダ装置が開発されねばならず、これは関連分野の高度な専門性を必要とする。その上、このようなデコーダを構築するためのツールが利用可能でなければならない。
【００１０】
キーとなる発見は、２次的情報信号の１チャネルビットは、各ブロック内のＲＬＬビットストリームの単一の所与のラン長の極性（ピット又はランド）を介して、好ましくは全てのブロックがＲＬＬチャネルビットに関して同一の長さを持って、流れているＲＬＬチャネルビットストリームのあるブロック構成内に割り当てられるということである。このようなブロックは、例えばＣＤスタンダードで規定されたサブコードブロックである。極性チャネルへの２次的情報信号のビットの“書き込み”動作は、ＲＬＬエンコーダにおける自由度を用いて、例えばマージビット又は置換テーブルのようなものの使用を介して達成され、この使用は先行するＲＬＬチャネルビットストリームの極性との組合せで所与のラン長の極性を所望の値に設定するだろう。（マージビットの使用のような）ＲＬＬコードにおける自由度は要求される極性ビットを書き込むために重要であるが、情報が所与のラン長の極性により実行されることに留意されたい。
【００１１】
好適な開発例によると、第２の既定のラン長に先行するＲＬＬビットストリームの極性を決定するために使用される第１の既定のラン長を識別し、この極性は２次的情報信号の情報ビットにしたがって設定される。先行するＲＬＬビットストリームの極性は、ＲＬＬ符号化の来歴により決定され、ＲＬＬ符号化されるデータの実際の内容、及びＲＬＬコード内の自由度の実際の使用に依存し、とりわけＤＣ制御のための方策（例えばマージビット又は置換テーブルを介して）に依存する。
【００１２】
他の好適な開発例によると、第１の既定の位置はフレーム同期ワード（例えばＥＦＭ同期ワード）の既定のラン長に対応し、第２の既定の位置はＣＤスタンダードの各サブコードブロックの正に第１フレームで使用されるＳ０同期パターンの既定のラン長に対応する。Ｓ０に対する（ｄｋ）パターンは、０２１０１０１により与えられる。Ｓ０に対する第２の既定のラン長は１１Ｔのラン長１０１０、又は終わりが１つの“１”によって始められる後続のラン長である。
【００１３】
このように、ＣＤフォーマットの応用の例では、既定のラン長の極性は、マージビットパターン及びフレーム同期ワード（ＥＦＭ同期）の既定のラン長の極性の組合せにより決定される。
【００１４】
好ましくは、設定のマージビットパターンのＤＣ制御機能がスイッチオフされる。これにより、ＤＣ制御機能により生じるエラーによる設定が防止できる。
【００１５】
他の（及び別個の）好適な変形例では、フレーム同期ワードの既定のラン長（例えばＥＦＭ同期の第１のラン長）の極性が設定される。しかしながら、これにより、ラン長の変動は防止できない。
【００１６】
以下に、本発明は図を参照して詳細に述べられ、本発明の好ましい実施例が、ＣＤスタンダードで使用されるようなＥＦＭ変調コードを基にして説明されるだろう。
【００１７】
【発明の実施の形態】
図１は、隠れたチャネルを提供するための符号化の基本的ステップを示す流れ図を示す。ステップＳ１００において、符号化されるべき隠れたチャネルビットが符号化動作時に入力されるか供給される。それから、先行するＲＬＬビットストリームが、既に符号化されたコードシーケンスから取り出されるかフィードバックされる（ステップＳ１０１）。ＲＬＬビットストリームで供給された同期パターンの既定のラン長のＲＬＬ極性が、そのときステップＳ１０２で検出される。ステップＳ１０３では、検出されたＲＬＬ極性及び入力された隠れたチャネルビットは、既定のマージビットパターンを設定するために組合せで考慮される。事実、既定のマージビットパターンは、後続のＳ０同期パターンの既定のラン長において既定の極性を得るために、検出されたＲＬＬ極性を基にして設定される。従って、ＲＬＬビットストリームの遷移がビット値“１”により示される（ｄｋ）ビットストリームは、既定のラン長を送るＳ０同期パターン及び設定されたマージビットパターンを使用して生成される（Ｓ１０４）。最終的には、（ｄｋ）ビットストリームは、入力された隠れたチャネルビット値に従って、極性ビットを持つＳ０同期パターンを含む符号化されたＲＬＬビットストリームを生成し出力する１Ｔプリコーダに供給される。
【００１８】
このように、Ｓ０同期パターンに関係するＥＦＭワードに先行するマージビットパターンの選択は、２つのファクタ、（ｉ）隠れたチャネルビットの値、及び（ｉｉ）先行するＥＦＭ同期ワードの既定のラン長の極性に依存する。ＣＤのための従来のＲＬＬエンコーダにおいては、（バイト値、後に続けられるマージビット方策、及び隠れたチャネルの先行するビットに依存する）先行するチャネルビットストリームの極性情報は要求されないことに留意されたい。
【００１９】
図２は、上述の隠れたチャネルを提供する、例えば２次的又は隠れた情報をＥＦＭ符号化された出力信号に加えるよう適したＥＦＭ変調器の基本ブロック図を示す。図２によると、同期パターン生成器１６は、ＥＦＭ符号化シンボルシーケンスに付加されて、２４チャネルビットの同期パターンを生成するために設けられる。特に、同期パターン又はフレーム同期ワードは、最後に２チャネルビットの付加のラン長と１１チャネルビットの２つのラン長から成る。従って、同期パターンは、ビットシーケンス１０１０１０１０１０（ここで０１０は論理値“０”を持つ１０ビットのシーケンスを示す）としてＮＲＺＩ表記で表される。更に、制御及び表示（Ｃ＆Ｄ）バイトの各サブコードブロックの始まりに配される１４チャネルビットの２個のブロック同期パターンＳ０及びＳ１を生成する制御及び表示（Ｃ＆Ｄ）同期パターン生成器１５が設けられる。前記Ｃ＆Ｄバイトは、ＥＦＭコードシーケンスの各フレーム内の同期パターンの後方に配される。加えて、それぞれ８データビットから成るパリティシンボル及びデータシンボルが、８ビットパリティシンボルを導入し、メインチャネルの１６ビット入力データワードを８ビットデータシンボルに分割することによるエラー訂正を提供するのに適したエラー訂正エンコーダ１２から供給される。時間マルチプレクサ１１は、要求されるＥＦＭフレーム構造に従ってＣ＆Ｄシンボル、パリティシンボル及びデータシンボルから適切なシンボルシーケンスを生成する。このシンボルシーケンスはＥＦＭ変調器１０に供給されて、当該シンボルシーケンスをチャネルビットシーケンスへ変換し、シンボル間又はパターン間各々に配される要求されたマージビット及び同期パターンを付加し、これによりシリアルＥＦＭ出力信号又はデータストリームを生成する。
【００２０】
好ましい実施例によると、隠れた情報が供給されるエンコーダ１７が、２次的又は隠れたチャネルを使用してシリアルＥＦＭ出力データストリームへ付加されるために設けられる。エンコーダ１７は、既定のシリアルデータストリームを提供するために、隠れたチャネルフレーム構造に従って入力バイナリの隠れた情報を符号化するために配される。隠れた情報の符号化されたデータストリームの各ビットは、極性検出ユニット１９から受け取った検出された極性に基づいて、Ｓ０同期パターンに対応するＥＦＭワードと同期パターンユニット１６から供給される同期パターンとの間に設けられるマージビットパターンの３個のチャネルビットを設定するために配されるＳ０マージビットパターン設定ユニット１８へシーケンシャルに供給される。極性検出ユニット１９は、シリアルＥＦＭ出力データストリームの各同期パターンの既定のラン長（例えば、第１のラン長）を取り出し、その極性を検出するために配される。Ｓ０マージビットパターン設定ユニット１８は、隠れた情報の符号化されたデータストリームのビット値に従うＳ０同期パターンに対応するＥＦＭワードの第１の（又は第２の、しかしいつも同じ）内部のラン長の極性を達成するために、マージビットパターンを設定するために配される。
【００２１】
このように、隠れた情報の符号化されたデータストリームのビット値は、記録媒体、例えば光学ディスク上に書き込まれたシリアルのＥＦＭ出力信号の各フレームに設けられたＳ０同期パターンに対応するＥＦＭワードの第１の（又は第２の）ラン長の極性に蓄積される。これにより、２次的又は隠れた情報の信号は、記録媒体に記録される。
【００２２】
極性検出ユニット１９内の極性検出は、サンプリング、蓄積及び論理ビット比較操作に基づいている。Ｓ０マージビットパターン設定ユニット１８内のビットパターン設定は、対応する真理テーブルにより決定される単純論理ユニットにより実施される。
【００２３】
既に述べたように、隠れたチャネルは、サブコードブロックのＳ０同期パターンを使用して生成され、それはサブコードブロック内のＣ＆Ｄチャネルの第１ポジションである。Ｓ０同期パターンに関連するＥＦＭワードの第１（又は第２）の内部のランの極性は、隠れた情報のビット値に従って制御される。第１（又は第２）の内部のランは、Ｓ０同期パターンに対応する１４ビットＥＦＭワードの最初の“１”に関係したラン長として規定される。このように、Ｓ０のＥＦＭワードの第１（又は第２）の内部のランの極性は、例えばマージビットパターン及びＥＦＭ同期パターンの第１の１１Ｔラン（１１チャネルビットのラン長）の極性の組合せに基づいて制御される。ＥＦＭ同期パターンの第１の１１Ｔランの極性は、当該フレームに先行するＥＦＭフレームのＲＬＬ符号化来歴により決められ、従って所与のＣＤ駆動のＤＣ制御アルゴリズムの実施にも依存する。
【００２４】
図３Ａは、変調器１０の出力部でのＥＦＭ信号のタイミング図を示す。図３Ａからわかるように、マージビットパターンは、選ばれた第１の内部のラン内に値“１”の極性ビットを達成するために、２４ビット同期パターンの第１のラン長（１０１０）の極性に従って設定される。
【００２５】
図３Ｂは、値“０”の極性ビットを達成するために要求されるマージビットパターン設定のために対応する信号ダイアグラムを示す。
【００２６】
このように、ＥＦＭ同期パターンの第１の１１Ｔラン長の極性に依存して、異なるマージビットパターンが、要求される極性ビットを得るために使用される必要がある。このマージビットパターンは、Ｓ０マージビットパターン設定ユニット１８により設定される。
【００２７】
本発明による極性制御は、既定量の２次的情報がいかなるラン長変動の発生及びＤＣ制御能力における感知可能な損失なしに保証されるという利益を提供する。代替として、極性制御は、ＥＦＭ同期パターンの第１の１１Ｔラン長に適用できる。しかしながら、これは、先行するＥＦＭワードが少なくとも２つの後のゼロを有する場合にだけ可能である。後のゼロがたった１つ又はない場合は、２つの可能性があり得るだろう。１つは、ラン長の変動を許容することである。もう１つは、最大で１つのＥＦＭフレームまで戻って先行するチャネルビットストリーム内のマージビットパターンを変更することである。しかしながら、第２の解決策は、ＤＣ制御能力に影響し、ラン長変動が許されない場合、各ＥＦＭフレーム同期に対するビットの保証された収容に対しては許容しなくなる。
【００２８】
図４は、好ましい実施例によるＥＦＭ復調器の基本ブロック図を示す。図４によると、例えば光学的読み出しユニットから得られたＨＦ信号は、同期したＨＦサンプルを得るためにＰＬＬ回路２０により同期がとられる。これら同期したＨＦサンプルは、隠れたチャネルの極性情報を有するバイナリのＲＬＬビットストリームを生成するビット検出回路２１へ供給される。それから、ＲＬＬビットストリームは、極性情報を消し、値“１”のビットがＲＬＬコードシーケンスの遷移（すなわちＮＲＺＩ表記）を示す（ｄｋ）ビットストリームを生成する逆１Ｔプリコーダ２２へ供給される。（ｄｋ）ビットストリームは、ＥＦＭフレームのチャネルビットに対するパラレル出力を供給するためにシフトレジスタ２３に蓄積される。第１の２４チャネルビットは、これらパラレル入力ビットを既知の同期パターンと比較し、同期パターンが検出されたならば、出力信号を生成する同期検出ユニット２５へ供給される。加えて、シフトレジスタの後ろの１４チャネルビットは、これら１４チャネルビットを８データビットシンボルへ変換するＥＦＭ復調ユニット２６へ供給される。これは、ＲＯＭ又は論理アレイ回路により達成できる。変換されたデータビットシンボルはラッチ回路２９へ供給され、ここにおいて出力があるまで保持される。更に、タイミング回路２８が設けられ、（ｄｋ）ビットストリームを基にしてクロック再生成回路２４から得られるブロック信号が供給される。タイミングユニット２８は、ラッチ回路２９に対するクロック信号を供給するために、再生成されたクロック信号及び同期検出ユニット２５の出力を基にして幾つかのタイミング信号を有するタイミング出力を生成する。
【００２９】
ビット検出ユニット２１の出力部においてＲＬＬビットストリームを、ビットストリームから各サブコードブロックのＳ０同期パターンに対応するＥＦＭワードを取り出し、第１の内部のラン長の極性を検出する極性検出ユニット２７へ供給することにより隠れたチャネル情報の復調が実施される。この検出は、例えば１つのＥＦＭフレームに対応する、ＲＬＬビットストリームの既定の部分を蓄積することにより実施されてもよい。それから、Ｓ０同期パターンに関係するＥＦＭパターンの第１（又は第２）の内部のランの極性は、適当な論理関数により検出されてもよい。同期パターンの第１の１１Ｔラン長が（代替の実施のために述べられたように）極性制御のために使用される場合、極性検出ユニット２７の対応した適応が必要である。
【００３０】
このように、極性検出は、メインチャネルデータシーケンスを復調するために使用される（ｄｋ）ビットストリームではなく、検出されたＲＬＬビットストリームに基づいている。
【００３１】
本発明は、ＤＶＤアプリケーションにも実施されてもよい。この場合、ＤＶＤ同期パターンの１４Ｔラン長が、極性制御のための特別なラン長として使用される。しかしながら、ＤＶＤスタンダードで提供される他のフレーム同期パターンが用いられてもよい。
【００３２】
要約すると、本発明の実施は、洗練されたＲＬＬ変調器又はエンコーダのようなＣＤ−ＲＷドライブに主要な変化を要求し、従って新しい集積回路を必要とする。記録担体の隠れたチャネルの読み出しは、ＲＬＬシーケンスが利用可能な場合だけであり、これは通常のＣＤプレーヤの場合ではない。
【００３３】
本発明が好ましい実施例を参照して説明されてきたが、これらの例に制限されないことは理解されるべきである。このように、種々の変形例が、請求項に規定されている発明の範囲から逸脱することなく当業者には明らかである。特に、本発明は、ＣＤスタンダードの場合に制限されるものではなく、後者においては、本発明はフレーム同期パターンＳ０の既述のラン長に制限されない。ＲＬＬフレームのデータ、同期又は制御ワードのどの識別可能なラン長も、極性検出及び／又は極性設定のために用いられる。その上、本発明は、いかなる種類の制御情報を蓄積するためにサイドチャネルを提供するために種々の態様で実施でき、いかなるＲＬＬコード及びいかなる記録媒体又はキャリアのためのいかなる再生又は復号装置並びにいかなる記録又は符号化装置に適用できる。
【図面の簡単な説明】
【図１】２次的情報を本発明によるラン長が制限されたコードシーケンスに付加する基本ステップの流れ図を示す。
【図２】本発明の好ましい実施例に従うＥＦＭ変調器の基本ブロック図を示す。
【図３Ａ】本発明の好ましい実施例で実施されるような先行するマージビットを使用することにより極性制御を示すダイアグラムを示す。
【図３Ｂ】本発明の好ましい実施例で実施されるような先行するマージビットを使用することにより極性制御を示す他のダイアグラムを示す。
【図４】本発明の好ましい実施例によるＥＦＭ復調器を示す。
【図１】
0004738711.tif 000002
【図２】
0004738711.tif 000003
【図３Ａ】
0004738711.tif 000004
【図３Ｂ】
0004738711.tif 000005
【図４】
0004738711.tif 000006